(57)【要約】【課題】  コンビニなどで、スキャン画像、ＰＤＬ画像を印字したときの課金をレポートや印刷物そのものにバーコードを印字することにより行う。また画像に対する著作権料もバーコードに含ませ、著作権料の回収も同時に行う。【解決手段】  画像入出力装置内に蓄積された電子データを印刷、送信することができる画像入出力装置において、所する電子データ選択するため蓄積されている複数の電子データを表示、選択する、および印刷部数や排紙処理を指定するためのユーザーインタフェースと、選択された文書の印刷枚数に応じた課金情報に基づいて前記バーコードデータを生成するバーコード生成手段と、印刷指示をされた電子データの所定箇所に前記バーコードを合成するバーコード合成手段と、を有し、ユーザーインタフェースからの設定に従って、バーコードが合成された画像を印刷する。【選択図】  図１
2006148210.tif 000002
【特許請求の範囲】
【請求項１】
画像入出力装置内に蓄積された電子データを印刷、送信することができる画像入出力装置において、
所望する電子データ選択するため蓄積されている複数の電子データを表示、選択する、および印刷部数や排紙処理を指定するためのユーザーインタフェースと、
選択された文書の印刷枚数に応じた課金情報に基づいて前記バーコードデータを生成するバーコード生成手段と、
印刷指示をされた電子データの所定箇所に前記バーコードを合成するバーコード合成手段と、
を有し、ユーザーインタフェースからの設定に従って、バーコードが合成された画像を印刷することができる画像入出力装置。
【請求項２】
生成されたバーコードを印刷指示された電子データとは別の用紙に印字するため、白紙データ、もしくは装置内で生成されたレポート画像と合成することを特徴とするバーコード合成手段を有する請求項１の画像入出力装置。
【請求項３】
バーコードには電子データに対する著作権料を加えて生成することが可能なバーコード合成手段を有する請求項１もしくは請求項２の画像入出力装置。
【請求項４】
バーコードの位置を指示可能なユーザーインタフェースと、前記ユーザーインタフェースの指示に従って、バーコードの位置を変更可能な請求項１もしくは請求項２もしくは請求項３の画像入出力装置。
【請求項５】
原稿画像を入力するためのスキャナ手段を有し、スキャナからの入力画像を蓄積することが可能な請求項１、もしくは請求項２、もしくは請求項３、もしくは請求項４の画像入出力装置。
【請求項６】
コンピュータからの画像を入力するための画像展開手段を有し、スキャナからの入力画像を蓄積することが可能な請求項１、もしくは請求項２、もしくは請求項３、もしくは請求項４の画像入出力装置。
【請求項７】
所定の電子データに対して著作権料を設定可能な著作権料設定手段と、電子データが出力された部数を記憶する部数カウンタ手段を有し、設定された著作権料とカウンタの積算をバーコード生成し、そのバーコードが合成された画像を印字する、請求項３，もしくは請求項４、もしくは請求項５、もしくは請求項６の画像入出力装置。
【発明の詳細な説明】
【技術分野】
【０００１】
本発明は、画像入力装置と画像印刷出力装置に関するものであり、特にコンビニエンスストアや、プリントショップにおいて画像入出力装置から入力された画像を蓄積し、印刷するときの課金方法に関する発明である。
【背景技術】
【０００２】
近年、コンビニエンスストアやプリントショップにおいて、設置されているコピー機を使用して容易に複写ができる環境になっている。コピー機にはコインベンダーと呼ばれる集金専用の機械が接続されており、コインベンダーにコピー料金をあらかじめ投入しておくことで、投入金額に応じた枚数分コピーが撮れるようになっている。（特許文献１、２参照）
【特許文献１】特開平０７−４４０６７号公報
【特許文献２】特開平１０−２６８７２３号公報
【発明の開示】
【発明が解決しようとする課題】
【０００３】
しかしながら、特に狭い店内ではコインベンダーを設置する設置空間を確保することが困難である。
【０００４】
また、最近では複写機のマルチファンクション化によってプリンタ機能、ファックス機能、スキャン画像や、ホストコンピュータからの画像を蓄積するボックス機能が付加されている。とくにボックス機能は、地域情報の提供や、簡易的な自費出版の手段として利用されることが想定されている。例えば情報提供者が、スキャン画像、もしくはホストコンピュータからの画像をボックス機能を使って画像入出力装置内に格納しておき、その情報が必要な場合は格納されている画像を印字するのである。しかしながら情報提供料を課金するための仕組みがコインベンダーにはない。
【課題を解決するための手段】
【０００５】
本発明請求項１は画像入出力装置内に蓄積された電子データを印刷、送信することができる画像入出力装置において、所望する電子データ選択するため蓄積されている複数の電子データを表示、選択する、および印刷部数や排紙処理を指定するためのユーザーインタフェースと、選択された文書の印刷枚数に応じた課金情報に基づいて前記バーコードデータを生成するバーコード生成手段と、印刷指示をされた電子データの所定箇所に前記バーコードを合成するバーコード合成手段と、を有し、ユーザーインタフェースからの設定に従って、バーコードが合成された画像を印刷することができる画像入出力装置である。
【０００６】
本発明請求項２は生成されたバーコードを印刷指示された電子データとは別の用紙に印字するため、白紙データ、もしくは装置内で生成されたレポート画像と合成することを特徴とするバーコード合成手段を有する請求項１の画像入出力装置である。
【０００７】
本発明請求項３はバーコードには電子データに対する著作権料を加えて生成することが可能なバーコード合成手段を有する請求項１もしくは請求項２の画像入出力装置である。
【０００８】
本発明請求項４はバーコードの位置を指示可能なユーザーインタフェースと、前記ユーザーインタフェースの指示に従って、バーコードの位置を変更可能な請求項１もしくは請求項２もしくは請求項３の画像入出力装置である。
【０００９】
本発明請求項５は原稿画像を入力するためのスキャナ手段を有し、スキャナからの入力画像を蓄積することが可能な請求項１、もしくは請求項２、もしくは請求項３、もしくは請求項４の画像入出力装置である。
【００１０】
本発明請求項６はコンピュータからの画像を入力するための画像展開手段を有し、スキャナからの入力画像を蓄積することが可能な請求項１、もしくは請求項２、もしくは請求項３、もしくは請求項４の画像入出力装置である。
【００１１】
本発明請求項７は所定の電子データに対して著作権料を設定可能な著作権料設定手段と、電子データが出力された部数を記憶する部数カウンタ手段を有し、設定された著作権料とカウンタの積算をバーコード生成し、そのバーコードが合成された画像を印字する、請求項３，もしくは請求項４、もしくは請求項５、もしくは請求項６の画像入出力装置である。
【００１２】
通常、コンビニエンスストアや、プリントショップにはＰＯＳ端末があり、それを操作する店員がいる。従って、バーコードが合成された画像をＰＯＳ端末で読み取って、複写料金を受け取ったり、また著作権料の支払いが可能になる。したがってコインベンダーを設置する必要がなくなる。
【発明の効果】
【００１３】
以上説明したように、バーコードを課金情報が含まれたバーコードを印刷することによってＰＯＳ端末による課金処理ができるため、コインベンダーの設置が不要になる。また、情報提供料（著作権料）を文書に対して設定しておくことで、印刷の課金とともにバーコードとして印刷することで、著作権料の回収も容易になる。
【発明を実施するための最良の形態】
【００１４】
本発明はカラー画像入出力装置による複写動作、ホストコンピュータからのプリント動作という形態になる。
【実施例１】
【００１５】
以下、本発明にかかる一実施形態について、図面を参照して詳細に説明する。
【００１６】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインタフェースである操作部２０１２から構成される。スキャナ部２０７０、プリンタ部２０９５、操作部２０１２は、それぞれＣｏｎｔｒｏｌｌｅｒ  Ｕｎｉｔ  ２０００に接続され、Ｃｏｎｔｒｏｌｌｅｒ  Ｕｎｉｔ  ２０００は、ＬＡＮ  ２０１１などのネットワーク伝送手段、公衆回線に接続されている。公衆回線からはカラー画像送信を含むＧ３、Ｇ４ファックスによる送信が可能である。また、ＬＡＮ  ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ、ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００１７】
図２は、画像形成装置の構成を説明するブロック図である。Ｃｏｎｔｒｏｌｌｅｒ  Ｕｎｉｔ  ２０００は画像入力デバイスであるカラースキャナ２０７０や画像出力デバイスであるカラープリンタ２０９５と接続し、一方ではＬＡＮ２０１１や公衆回線（ＷＡＮ）２０５１接続することで、画像情報やデバイス情報の入出力を行う為のコントローラである。  ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００６は操作部（ＵＩ）２０１２とインタフェース部で、操作部２０１２に表示する画像データを操作部２０１２に対して出力する。また、操作部２０１２から本システム使用者が入力した情報を、ＣＰＵ２００１に伝える役割をする。Ｎｅｔｗｏｒｋ２０１０はＬＡＮ２０１１に接続し、情報の入出力を行う。Ｍｏｄｅｍ２０５０は公衆回線２０５１に接続し、画像情報の入出力を行う。画像圧伸部２０４０は、多値画像データはＪＰＥＧ、２値画像データはＪＢＩＧ、ＭＭＲ、ＭＲ、ＭＨの圧縮伸張処理を行う。以上のデバイスがシステムバス２００７上に配置される。Ｉｍａｇｅ  Ｂｕｓ  Ｉ／Ｆ２００５はシステムバス２００７と画像データを高速で転送する画像バス２００８を接続し、データ構造を変換するバスブリッジである。（画像はシステムバス上では圧縮され、画像バス上は非圧縮の画像データが流れるよう変換される。）画像バス２００８は、ＰＣＩバスまたはＩＥＥＥ１３９４または専用バスで構成される。画像バス２００８上には以下のデバイスが配置される。ラスターイメージプロセッサ（ＲＩＰ）２０６０はホストコンピュータからのＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。スキャナ画像処理部２０８０は、入力画像データに対し補正、加工、編集を行う。また入力された画像がカラー原稿か白黒原稿かを画像の彩度信号から判断しその結果を保持する機能を有する。プリンタ画像処理部２０９０は、出力画像データに対し補正、加工、編集を行う。画像回転２０３０はスキャナ画像処理と連携して、スキャナからの画像読み込みと同時に画像を回転しメモリ上に格納したり、メモリ上にある画像を回転し、メモリ上に格納、もしくはメモリ上にある画像をプリンタ画像処理部と連携して回転しながら印字出力することができる。解像度変換２０３１はメモリ上にある画像を解像度変換処理し、メモリ上に格納する。色空間変換２０３２はマトリクス演算により、たとえばメモリ上にあるＹＵＶ画像をＬａｂ画像に変換し、メモリ上に格納する。階調変換２０３３はたとえばメモリ上にある８ｂｉｔ、２５６階調の画像を誤差拡散処理などの手法により１ｂｉｔ、２階調に変換し、メモリ上に格納する。
【００１８】
画像回転２０３０、解像度変換２０３１、色空間変換２０３２、階調変換２０３３はそれぞれ連結して動作することが可能で、たとえばメモリ上の画像を画像回転、解像度変換する場合は、両処理をメモリを介さずに行うことができる。
【００１９】
図３にスキャナ画像処理２０８０の詳細説明を示す。スキャナから入力されたＲＧＢ各８ｂｉｔの輝度信号はマスキング２５０１によりＣＣＤのフィルタ色に依存しない標準的なＲＧＢ色信号に変換される。変倍２５０２によって変倍の必要がある場合は変倍を行う。フィルタ２５０３では画像をぼかしたり、メリハリをつける処理が行われる。ガンマ２５０４では画像全体の濃度を濃くあるいは薄くするように処理が行われる。原稿がカラーか白黒かを判断するために変倍前の画像信号を色空間変換２５０５によって公知のＬａｂに変換する。このうちａ，ｂは色信号成分を表しており、比較器２５０５内の所定のレベル以上であれば有彩色、そうでなければ無彩色として１ｂｉｔの判定信号を比較器２５０５から出力する。カウンタ２５０７は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。
【００２０】
画像入出力デバイスを図４に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え（２０７１）、フィーダ２０７２は原稿用紙を１枚ずつフィードし原稿画像の読み取り動作を行う。
【００２１】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。また、フィニッシャ２０９９は印字し終わった用紙束の角をステイプルする、もしくは用紙の中央を複数カ所ステイプルし、用紙を半分に折ることで、製本出力することも可能である。
【００２２】
操作部２０１２の構成を図５に示す。ＬＣＤ表示部２０１３は、ＬＣＤ上にタッチパネルシート２０１９が貼られており、システムの操作画面およびソフトキーを表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザーＩＤを入力する時に用いる。リセットキー２０１７は操作部からの設定を初期化する時に用いる。
【００２３】
図６は本発明の実施例を示す画像形成装置システムの操作部の構成を説明するブロック図である。画像形成装置において、２００１は制御ＣＰＵで、２００３のプログラム用ＲＯＭに記憶された制御プログラム等に基づいてシステムバス２００７に接続される各種デバイスとのアクセスを総括的に制御し、画像入力部インタフェース２０７１を介して接続されるスキャナ２０７０から入力情報を読み込み、印刷部インタフェース２０９６を介して接続される印刷部２０９５に出力情報としての画像信号を出力する。２００２は２００１のＣＰＵの主メモリ、ワークエリア等として機能するＲＡＭである。２０１９のタッチパネル、２０１４〜２０１７のハードキーから、ユーザー入力を受け取り操作入力部Ｉ／Ｆ２００６１を介して、操作内容を取得する。取得した操作内容と前述の制御プログラムにもとづいて、ＣＰＵ２００１において表示画面データが生成され、画面出力デバイスを制御する出力デバイスコントローラ２００６２を介して、ＬＣＤやＣＲＴなどの画面出力デバイス２０１３に表示画面を出力する。
【００２４】
次に本発明の実施例について、ＬＣＤ表示面２０１３に表示される画面を用いて説明する。
【００２５】
図７は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤに格納されたスキャン画像を印字、あるいは送信する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００２６】
図８は３１０５を押下したときに表示されるポップアップウィンドウである。３２０１は読み取り原稿サイズをポップアップのなかから選択入力し、設定された読み取りサイズは３２０２に表示される。３２０３は原稿の読み取りモードを選択するところであり、押下するとカラー／ブラック／自動（ＡＣＳ）の３種類が選択できる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読み取りの解像度を指定するためポップアップからの選択入力になる。３２０５は原稿の読み取り濃度を調整するためのスライダーであり、９段階の調整が行える。３２０６は新聞のように下地がかぶった画像を読み込む場合に、濃度を自動的に決定するためにある。
【００２７】
図９にソフト構成図を示す。４０１０は表示操作部を制御するＵＩ制御部、ＵＩ制御部からの指示を受け、機器制御部分にコピージョブ、送信ジョブを実行させるためのコピーアプリケーション部４０２０、送信アプリケーション部４０２１、また、画像を一時格納するためのＢＯＸアプリケーション部４０２２がある。またネットワークアプリケーションからのデータをうけＰＤＬプリントジョブを投入するＰＤＬアプリケーション部４０２３がある。４０３０は機器制御部分の機器依存部分を吸収するための共通インタフェース部分、４０４０は共通インタフェースから受け取ったジョブ情報を整理し下位層のドキュメント処理部に伝達するジョブマネージャで、ドキュメント処理部はローカルコピーであればスキャンマネージャ４０５０とプリントマネージャ４０９０、リモートコピーの送信ジョブ、あるいは送信ジョブであればスキャンマネージャ４０５０とストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および画像処理の依頼はシンクマネージャ４０８０を介して行う。スキャン、プリント時の画像処理や画像ファイルの格納はイメージマネージャ４１１０が行う。
【００２８】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。ジョブマネージャ４０４０はスキャンマネージャ４０５０とプリントマネージャ４０９０にジョブの情報を伝達する。スキャンマネージャ４０５０はデバイスＩ／Ｆ２０２０を介してスキャナ２０７０にスキャン要求を行う。また、同時にシンクマネージャ４０８０を介してイメージマネージャ４１１０に画像処理要求を出す。イメージマネージャ４１１０はスキャンマネージャ４０５０の指示に従って、スキャナ画像処理部２０８０の設定を行う。設定が完了したら、シンクマネージャ４０８０を介してスキャン準備完了を伝える。その後スキャンマネージャ４０５０はスキャナ２０７０に対してスキャンを指示する。スキャン画像転送完了は図示しないハードウェアからの割り込み信号によってイメージマネージャ４１１０に伝わる。イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。イメージマネージャ４１１０は指示に従ってメモリ上のＪＰＥＧ画像（文字／写真判定信号を含めて）ＨＤＤ２００４に格納する。画像の付随情報として図示しないＳＲＡＭにカラー判定／白黒判定結果、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。スキャンマネージャ４０５０はジョブマネージャ４０４０に対して終了通知を返し、ジョブマネージャ４０４０は共通インタフェース４０３０を介してコピーアプリケーション部４０２０へ返す。プリントマネージャ４０９０はメモリに画像が入った時点でデバイスＩ／Ｆ２０２０を介して、プリンタ２０９５に印刷要求をだす。シンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は前記の画像の付随情報に従ってプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【００２９】
リモートコピーのスキャンジョブ、送信ジョブの場合は、プリントマネージャ４０９０に代わってストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４４２０にＨＤＤに格納されたファイルの送信を依頼する。依頼を受けたネットワークアプリケーション４４２０がファイルを送信する。ネットワークアプリケーション４４２０はジョブ開始時にコピーアプリケーション部４０２０からコピーに関する設定情報を受け、それもリモート側に通知する。ネットワークアプリケーション４４２０はリモートコピーの場合、機器固有の通信プロトコルを使用して送信を行う。また送信ジョブの場合はＦＴＰ、ＳＭＢのような標準的なファイル転送プロトコルを使用する。ファックス送信する場合はファイルが格納後、送信アプリケーション４０２１から共通インタフェース４０３０、ジョブマネージャ４０４０を介してＦＡＸマネージャ４０４１に送信が指示される。また、送信先にプリンタがある場合、送信アプリケーションは共通インタフェース４０００を介してプリントジョブとしてプリントの指示を行う。そのときの動作は以下で説明するリモートコピーのプリントジョブの場合と同様である。また、送信宛先が機器内のボックス宛先になっているときは機器内のファイルシステムに格納する。
【００３０】
リモートコピーのプリントジョブの場合は、送信側からの画像をネットワークアプリケーション４４２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。プリントマネージャ４０９０はメモリに画像が入った時点でデバイスＩ／Ｆ２０２０を介して、プリンタ２０９５にジョブマネージャから指示された給紙段、もしくはその用紙サイズを有する段を選択し、印刷要求をだす。自動用紙の場合には画像サイズから給紙段を決定し印刷要求をだす。シンクマネージャ４０８０にプリント画像処理要求を行う。シンクマネージャ４０８０はプリントマネージャ４０９０から要求を受けたら画像処理設定をイメージマネージャ４１１０に依頼する。（このときたとえば最適サイズ用紙がなくなり、回転が必要になれば別途回転指示も依頼する。回転指示があった場合にはイメージマネージャが画像回転２０３０を使って画像を回転する。）イメージマネージャ４１１０はプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【００３１】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像の展開が終了し画像入力する部分に関しては前述のスキャンジョブと同様である。メモリ上のＪＰＥＧ画像（文字／写真判定信号を含めて）ＨＤＤ２００４に格納する。画像の付随情報として図示しないＳＲＡＭにカラー／白黒情報、画像入力元としてＰＤＬ画像、色空間ＣＭＹＫも格納しておく。ＰＤＬをＨＤＤに格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４４２０にＨＤＤに格納完了を通知し、ＰＤＬプリントを投入したホストＰＣへこの情報が伝達される。
【００３２】
ＰＤＬ展開され格納された画像のプリントはＵＩで印刷指示された格納文書をＢＯＸアプリケーションがジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００３３】
次に本実施例の中心部となるバーコードの印字について説明する。
【００３４】
前述のようにスキャナあるいはホストコンピュータからのデータが展開されてボックスのなかに格納されている場合の例として、図１０に操作部画面の例を示す。
【００３５】
図１０はスキャン、あるいはＰＤＬ展開によって蓄積された文書に対して選択指示するためのボックス画面である。４１０１はボックス番号を示す。また、４２０２は各ボックスに対してユーザーが任意に設定できるボックス名称、４２０３は各ボックスの使用量である。
【００３６】
図１１はボックス番号１を押下し、ボックス番号１を開いたときの画面である。ボックス内には４２０１のようにＸＸ町グルメマップ（用紙サイズＡ４、５ページ）というスキャン文書と、ＸＸ町内会アンケート（用紙サイズＡ３、１５ページ）というＰＤＬ文書が格納されている。（スキャン文書か、ＰＤＬ文書かは文書名の左にあるアイコンでＳならスキャン文書、ＰならＰＤＬ文書であることが判断できるようになっている）。４５０２は文書の編集指示ボタン、４５０３は文書の印刷指示ボタン、４５０４は文書の送信ボタンである。４２０５はスキャンの指示ボタンで、このスキャナからボックス内に格納したい場合に押下する。表示のなかには著作権料を示す欄があり、印刷、送信するとその著作権料が追加されることが確認できる。
【００３７】
図１２にスキャンボタン４２０５を押下したときの画面を示す。倍率ボタン４３０１では読みとり時の倍率指定を行う。読み取りサイズ選択ボタン４３０２は読み取りのサイズ、たとえばＡ４，Ａ３などを指示する。両面ボタン４３０３は両面原稿の読み取りを指示する。応用モードボタン４３０４はその他詳細設定を行う。キャンセルボタン４３０５はキャンセルを行う。開始ボタン４３０６はスキャン処理の開始を行う。著作権料設定ボタンはスキャンする原稿に対して設定する著作権料である。４３０６を押下したときの画面を図１３に示す。
【００３８】
４４０１には操作部のテンキーで入力した、著作権料が表示される。４４０３は設定のキャンセル、４４０２は設定を行うためのボタンである。ＰＤＬデータ展開格納ジョブの場合も同様にホストコンピュータのプリンタドライバで同様の設定を行うことで著作権料を設定する。
【００３９】
図１４にＨＤＤに格納される画像の構造を詳細に示す。ボックスは複数のスキャン文書や、ＰＤＬ文書をまとめて格納できる論理的な区切りを示す。文書はスキャン、ＰＤＬの２種類がある。文書は複数のページ（画像ファイル）からなる。各文書にはそれぞれ文書属性がついており、文書名、入力元、色空間、著作権料の情報が格納されている。また、各ページにもページ属性があり、カラー属性、ページ番号、解像度、画像サイズ、原稿サイズ、用紙サイズ、圧縮方式、ファイルフォーマットが情報として格納されている。
【００４０】
文書の印刷を指示する場合、図１１で文書を選択し、印刷ボタン４２０３を押下する。このとき、図１５の画面が表示される。使用者はここで印刷の詳細設定を行う。４６０１は用紙選択ボタンであり、用紙サイズの変更をする場合、ここで他の給紙段を指定する。４６０２はソータ設定であり、ソート、グループ、ステイプルソートを選択できる。４６０３は両面出力設定である。４６０４は応用モードであり、その他印刷出力時の画像設定を行う。４６０５は印刷の開始ボタンであり、このボタンの押下とともにジョブが開始される。４６０６はキャンセルボタンであり、キャンセルによって図１４の画面に戻る。４６０７は課金用のバーコード印字に関する設定ボタンである。
【００４１】
４６０７を押下すると、図１６のような画面になる。４７０１を選択すると印刷部数に関わらず、１枚のレポート形式で課金用のバーコードが印字されたレポートが出力される。４７０２を選択すると１部に対して１つのバーコードを印字する。４７０３はキャンセル、４７０４は決定である。１部ずつを選択すると、さらに図１７のような詳細画面が表示される。
【００４２】
４８０１でバーコードを用紙のどの位置に配置するかを選択できる。また、４８０２で表表紙に印字するのか、裏表紙に印字するのかを指定できる。４８０３で決定する。図１８にレポート形式を指定したときの印字例を、図１９に１部ずつを指定しさらに裏表紙と右下を指定したときの印字例を示す。
【００４３】
図２０にプリントマネージャのバーコード印刷動作時のフローチャートを示す。
【００４４】
５００１でレポート形式なのか、１部ずつなのかを判断する。レポート形式が選択されている場合、５００２で印刷を行う。５００３ですべての部数の印刷が終わったら５００４でレポート画像形成指示をイメージマネージャに対して行う。このとき、カラー、白黒の印字枚数に基づく課金情報をイメージマネージャに伝える。レポート画像ができたら、５００５でレポート画像を印刷する。５００６で印刷が終了したら、終了となる。５００７では操作部で入力されたバーコードの位置情報を取得する。５００８では表表紙に印刷するかを判断し、表表紙なら５００９へ、裏表紙なら５０１０へ処理を進める。５００９、５０１０ではそれぞれ印刷するページが表表紙か、裏表紙かを判断し、もしそうであれば５０１１、５０１２で表表紙、あるいは裏表紙にバーコードを合成するようイメージマネージャに伝える。このとき、１部ずつバーコードを印刷するため、１部のなかのカラー、白黒の印字枚数に基づく課金情報をイメージマネージャに伝える。同時にバーコードの印刷位置も伝える。５０１３で画像の合成ができたらそのページを印刷する。５０１４で１部終了していれば５０１５で印刷終了の判断を行う。印字が終了していない場合は５００８へ戻る。印刷終了していれば終了する。
【００４５】
図２１にバーコード印刷時のイメージマネージャの動作をフローチャートで説明する。５００２でバーコードの画像生成指示がプリントマネージャからきたとき、保存されている画像の属性から、著作権料情報を取得する。５１０３でプリントマネージャから伝えられる課金情報を得る。５１０４でカラー、白黒の課金や出力部数、著作権料を加えたバーコードを生成する。５１０６でレポート生成するかどうか判断しレポートであれば５１０６でレポート画像を生成する。ディスクに格納されたフォントデータを使用して、ＣＰＵでメモリ上にレポートを形成する。またレポートでない１部ずつの場合は５１０７でバーコードの印字位置を取得する。５１０８で生成したバーコードを合成する。このとき、画像の合成はバーコード画像によって原稿画像を置き換えるはめ込み合成を使用する。５１０９で画像生成が終了したことをプリントマネージャに伝えて終了する。
【００４６】
本実施例ではレポートを生成したが、使用者が課金情報をレポートでみる必要がなければ白紙の画像データに合成することも容易に実現できる。
【００４７】
印刷されたバーコードをＰＯＳ端末で読み取ることにより、使用者はその料金を支払う。機器内ではどの文書が何部印字されたかを文書属性として保持しておき、印刷部数に応じた著作権料をバーコードつきレポートとして発行すれば、それをＰＯＳ端末でよみとって、著作者に対して著作権料の支払いをすることも可能である。
【図面の簡単な説明】
【００４８】
【図１】画像形成システムの全体構成を示す図
【図２】画像形成装置の全体構成を示す図
【図３】本発明のスキャナ画像処理のブロック図
【図４】画像形成装置の入出力デバイス外観図
【図５】画像形成装置の操作部外観図
【図６】本発明の一実施形態のシステム構成を示すブロック図
【図７】本発明の操作部の送信画面の説明図
【図８】本発明の操作部の送信画面の説明図
【図９】本発明のソフト構成を示すソフト構成図
【図１０】本発明の操作部のボックス画面の説明図
【図１１】本発明の操作部のボックス画面の説明図
【図１２】本発明の操作部のボックス画面の説明図
【図１３】本発明の操作部のボックス画面の説明図
【図１４】本発明でボックスに格納された文書、ページの構成と属性の説明図
【図１５】本発明の操作部のボックス画面の説明図
【図１６】本発明の操作部のボックス画面の説明図
【図１７】本発明の操作部のボックス画面の説明図
【図１８】レポート形式のバーコード一例
【図１９】製本されたバーコードの一例
【図２０】プリントマネージャの動作フローチャート
【図２１】イメージマネージャの動作フローチャート
【図１】
2006148210.tif 000003
【図２】
2006148210.tif 000004
【図３】
2006148210.tif 000005
【図４】
2006148210.tif 000006
【図５】
2006148210.tif 000007
【図６】
2006148210.tif 000008
【図７】
2006148210.tif 000009
【図８】
2006148210.tif 000010
【図９】
2006148210.tif 000011
【図１０】
2006148210.tif 000012
【図１１】
2006148210.tif 000013
【図１２】
2006148210.tif 000014
【図１３】
2006148210.tif 000015
【図１４】
2006148210.tif 000016
【図１５】
2006148210.tif 000017
【図１６】
2006148210.tif 000018
【図１７】
2006148210.tif 000019
【図１８】
2006148210.tif 000020
【図１９】
2006148210.tif 000021
【図２０】
2006148210.tif 000022
【図２１】
2006148210.tif 000023